(57)【要約】【課題】外部からの視認性を十分に確保でき、かつ意匠性を向上させることのできる表示装置およびこれを備えた電子機器を提供すること。【解決手段】表示装置９、１０は、電子機器の外装の一部を構成する透光性部材７と、この透光性部材７の内側に該透光性部材７と離間配置され、電子機器の動作状態に応じて点消灯する発光体１１とを備え、透光性部材７及び発光体１１の間には、透光性部材７と対向する端面１２１Ａ及び発光体１１と対向する端面１２１Ｂを有する透光性材料を含んで構成され、発光体１１と対向する端面１２１Ｂに、該発光体１１から放射された光を通す開口１２２Ａが形成された不透光層１２２が形成された導光部材１２が介在配置されている。【選択図】  図２
2004354478.tif 000002
【特許請求の範囲】
【請求項１】
透光性部材と、この透光性部材と離間配置され点消灯する発光体とを備え、
前記透光性部材及び前記発光体の間には、前記透光性部材と対向する端面及び前記発光体と対向する端面を有する透光性材料を含んで構成され、前記発光体と対向する端面に、該発光体から放射された光を通す開口が形成された不透光層、及び／又は、ハーフミラー層が形成された導光部材が介在配置されていることを特徴とする表示装置。
【請求項２】
請求項１に記載の表示装置において、
前記導光部材の前記発光体と対向する端面にはハーフミラー層が形成されていることを特徴とする表示装置。
【請求項３】
請求項１に記載の表示装置において、
前記導光部材の前記発光体と対向する端面には不透光層が形成されていることを特徴とする表示装置。
【請求項４】
請求項１に記載の表示装置において、
前記導光部材の前記発光体と対向する面には、前記不透光層及び前記ハーフミラー層が積層形成されていることを特徴とする表示装置。
【請求項５】
請求項３又は請求項４に記載の表示装置において、
前記不透光層は、前記発光体の発光色とは異なる色であることを特徴とする表示装置。
【請求項６】
請求項２乃至請求項５のいずれかに記載の表示装置において、
前記透光性部材及び前記導光部材の間には、透光性材料からなる導光部材がさらに介在配置され、この中間に介在配置された導光部材と前記発光体側の導光部材との間にはハーフミラー層が設けられていることを特徴とする表示装置。
【請求項７】
透光性部材と、この透光性部材と離間配置され点消灯する発光体とを備え、
前記透光性部材及び前記発光体の間には、前記透光性部材と対向配置され、前記発光体から放射された光を前記透光性部材の面に沿った方向に曲折する第１反射面、及びこの第１反射面で反射された光を前記透光性部材に導入する方向に曲折する第２反射面を備えた第１導光部材と、この第１導光部材の前記透光性部材とは反対側の面に配置され、前記第１導光部材と対向する面とは反対側の面に反射層が形成された透光性材料からなる第２導光部材とが設けられていることを特徴とする表示装置。
【請求項８】
請求項１乃至請求項７のいずれかに記載の表示装置を備えた電子機器。
【発明の詳細な説明】
【０００１】
【発明の属する技術分野】
本発明は、表示装置およびこの表示装置を備えた電子機器に関する。例えば、パーソナルコンピュータのハードディスクが動作しているか否かを示すインジケータや、ビデオ再生装置、ＤＶＤ再生装置において、ビデオやディスクが挿入されているか否かを表示するインジケータとして利用することができる。
【０００２】
【背景技術】
従来、パーソナルコンピュータ、ビデオ再生装置、ＤＶＤ再生装置等の電子機器には、スイッチがオン状態にあるか否か、ハードディスクが動作しているか否か、ビデオやＤＶＤが挿入されているか否か等を表すために、ＬＥＤ等の発光体が設けられている。
この発光体は、これらの機器本体を収納する外装筐体の一部を構成する透光性部材によって覆われており、電子機器の動作状態に応じて点消灯することにより、操作者が外部から電子機器の動作状態を視認できるようになっている。
発光体を覆う透光性部材としては、白濁した樹脂系材料を含む様々な材料を用いるが、金属製の外装筐体の場合、他の部分と意匠的にマッチさせるために、表面を鏡面化して光を反射するような透光性部材を採用することがある。
【０００３】
しかしながら、このような透光性部材は、透光性が高いため、消灯時にあっても、外部からＬＥＤが直接見えてしまうため、そのままでは意匠的には採用しがたい。
このため、透光性部材の表面にハーフミラー層を形成し、発光体の点灯時は外部から発光を視認できるようにし、消灯時には視認できないようにする技術が提案されている（例えば、特許文献１参照）。
【０００４】
【特許文献１】
特開２０００−２３８５７９号公報
【０００５】
【発明が解決しようとする課題】
しかしながら、前記特許文献１記載の技術では、発光体を単純にハーフミラーで隠蔽しているに過ぎないため、発光体から放射される光の半分は外装筐体内部に戻ってしまい、外部からの視認性に欠けるという問題がある。
また、発光体から放射された光は、単にハーフミラーを透過するだけなので、発光状態で発光部分に立体感が得られず、高級感に乏しいという問題がある。
【０００６】
本発明の目的は、外部からの視認性を十分に確保でき、かつ意匠性を向上させることのできる表示装置およびこの表示装置を備えた電子機器を提供することにある。
【０００７】
【課題を解決するための手段】
本発明の表示装置は、透光性部材と、この透光性部材と離間配置され点消灯する発光体とを備え、前記透光性部材及び前記発光体の間には、前記透光性部材と対向する端面及び前記発光体と対向する端面を有する透光性材料を含んで構成され、前記発光体と対向する端面に、該発光体から放射された光を通す開口が形成された不透光層、及び／又は、ハーフミラー層が形成された導光部材が介在配置されていることを特徴とする。
【０００８】
ここで、発光体としては、種々の発光体を採用することができるが、耐久性、消費電力の少なさという観点からＬＥＤを採用するのが好ましい。
また、透光性部材としては、電子機器の外装筐体に応じて調和したものを採用するのが可能であり、例えば、アクリル透明板、硬質ガラス、ポリカーボネイト、ＡＢＳ樹脂等の透明材料を採用することができる。
さらに、導光部材も透光性部材と同様の材料を採用することが可能であり、透光性部材から離間配置されていてもよいが、好ましくは、透光性部材に密着（接触）させた方がよい。尚、この場合、透光性部材に接着剤等で固定してしまうのではなく、単純に密着させておくのが好ましい。
【０００９】
この発明によれば、導光部材の発光体側端面に不透光層及び／又はハーフミラー層が形成されていることにより、発光体の消灯時は発光体がこの層で隠蔽されるので、外部から観察しても発光体が視認されにくくなり、電子機器に組み込んでも意匠性が損なわれることがない。
また、発光体から放射された光は、導光部材の端面間で反射を繰り返し、これらの光が最終的に透光性部材を透過して外装筐体外部に放射されるため、外部からの視認性が損なわれることもない。
さらに、端面間の反射の繰り返しによって、発光部分を斜め前方から観察すると、反射による発光部分の虚像が透光性部材の奥行き方向に沿って複数形成されることとなるので、発光部分を奥行き方向に立体的に視認することができ、電子機器の意匠性が向上する。とくに、これらの虚像は、反射が繰り返されるごとに位置がずれながら次第にぼやけていくため、立体的な意匠的効果がより強調される効果がある。
そして、導光部材の発光体側端面にハーフミラー層を形成した場合、導光部材内の端面反射に加えて、ハーフミラー層により反射した光も利用できるため、形成される虚像の明るさが増し、視認性を一層向上させることができる。
【００１０】
本発明では、前述した不透光層は、発光体の発光色とは異なる色であるのが好ましい。
この発明によれば、不透光層の色が発光体の色と異なるため、発光時に発光部分の色と背景色とが明確に区分けされるため、発光部分の視認性を一層向上させることができる。また、発光色と異なる不透光層とすることにより、端面反射による発光部分の虚像が際だつため、発光部分をより立体的に視認し易くなる。
【００１１】
本発明では、前述した透光性部材及び導光部材の間には、透光性材料からなる導光部材がさらに介在配置され、この中間に介在配置された導光部材と前記発光体側の導光部材との間にはハーフミラー層が設けられているのが好ましい。
この発明によれば、発光体及び透光性部材間に複数の導光部材を介在配置することにより、端面反射が生じる部分が増加するので、発光部分を斜め前方から観察すると虚像をより多く視認することができ、視認性を向上させ、発光部分の意匠性が向上する。
【００１２】
本発明の他の表示装置は、透光性部材と、この透光性部材と離間配置され点消灯する発光体とを備え、前記透光性部材及び前記発光体の間には、前記透光性部材と対向配置され、前記発光体から放射された光を前記透光性部材の面に沿った方向に曲折する第１反射面、及びこの第１反射面で反射された光を前記透光性部材に導入する方向に曲折する第２反射面を備えた第１導光部材と、この第１導光部材の前記透光性部材とは反対側の面に配置され、前記第１導光部材と対向する面とは反対側の面に反射層が形成された透光性材料からなる第２導光部材とが設けられていることを特徴とする。
【００１３】
この発明によれば、発光体から放射された光は、第１反射面で曲折され、第２反射面を照明し、照明された第２反射面で反射した光が透光性部材から外部に放射されるので、前述と同様に外部から発光体が直接視認されにくくなる。
また、第１導光部材の後段に反射層を備えた第２導光部材が設けられているため、照明光の一部が第１導光部材の後段側に導入されても、この光は、反射層によって透光性部材側に反射され、外部から視認することができるため、視認性を向上することができるうえ、第２導光部材の端面反射及びこの反射層間の反射を繰り返して前記と同様に奥行き方向に虚像を形成できるため、前記と同様に電子機器の意匠性が向上する。
【００１４】
また、上述したいずれかの表示装置を備えた電子機器では、意匠性の更なる向上が期待できる。
【００１５】
【発明の実施の形態】
以下、本発明の実施の形態を説明する。
〔第１実施形態〕
図１には、本発明の第１実施形態に係る電子機器１が示されている。この電子機器１は、ビデオ再生装置であり、機器本体を収納する外装ケース２を備え、この外装ケース２の前面略中央部には、ビデオカセットを挿入する開口部３が形成されている。この開口部３の右側には操作スイッチ群４が設けられているとともに、左側には入出力端子群５、及び電源スイッチ６が設けられている。
開口部３の下側には、アクリル製の透明材料からなる透光性部材としての透明カバー部材７が嵌め込まれていて、その内部には、電子機器１の動作状態を表す複数の発光表示部８、９、１０が設けられている。
【００１６】
具体的には、発光表示部８は、電子機器１に挿入されたビデオカセットのテープ残量や時刻を表示する部分であり、発光表示部９は、ビデオカセットが挿入されているか否かや録音／再生モードを表示する部分であり、発光表示部１０は、モノラル／ステレオ／２カ国語等の状態を表示する部分である。
これら発光表示部８、９、１０のうち、発光表示部８はセグメント表示型のＬＥＤディスプレイが採用されているが、発光表示部９、１０はＬＥＤを点消灯させることで、電子機器１の動作状態を表している。
【００１７】
この発光表示部９、１０は、図２に示すように、電子機器１の機器本体と電気的に接続される発光体としてのＬＥＤ１１と、このＬＥＤ１１と透明カバー部材７との間に介在配置される導光部材１２とを備えている。尚、透明カバー部材７は、アクリル樹脂等の透明板で構成され、外部に露出する表面７１及び内側向く裏面７２が鏡面状の平滑面とされ、内部からの発光や外部からの光を透過するように構成されている。
ＬＥＤ１１は、機器本体の制御部から出力される動作状態に応じて点消灯する部分であり、発光色としては赤色、緑色、青色、白色等を採用することができる。
【００１８】
導光部材１２は、透明カバー部材７の裏面７２側に密着（接触）して配置され、透明カバー部材７と同様のアクリル樹脂等の透明材料からなる導光部１２１と、この導光部１２１のＬＥＤ１１側端面に形成される不透光層１２２とを備えている。尚、図示を略したが導光部材１２の裏面外周部分には、金属製のフレームが当接しており、透明カバー部材７が嵌め込まれると、このフレームと透明カバー部材７とによって挟持された状態で保持され、導光部材１２と透明カバー部材７の間には接着剤等の固定材料は介在していない。なお、導光部材１２の固定方法については、これ以外に、ビス止め、両面テープ等による方法でもよい。
【００１９】
導光部１２１のカバー部材７側端面１２１Ａ及びＬＥＤ１１側端面１２１Ｂは、鏡面状に仕上げられており、詳しくは後述するが、この導光部１２１内部を透過する光の一部は、この端面１２１Ａ、１２１Ｂ間で端面反射を繰り返す。
不透光層１２２は、シルクスクリーン印刷により形成される着色層であり、ＬＥＤ１１が配置される部分には、光束透過用の開口部１２２Ａが形成されている。不透光層１２２の色は、ＬＥＤ１１の発光色とは異なる色が採用され、例えば黒色等が採用される。開口部１２２Ａは、発光表示部９、１０の表示形態に応じた抜き孔状に構成され、例えば、丸形状、四角形状、星形状等を採用することができる。
【００２０】
このような発光表示部９、１０では、ＬＥＤ１１の消灯時は、不透光層１２２によってＬＥＤ１１が隠蔽されてしまうため、外部からＬＥＤ１１が見えにくくなる。
一方、ＬＥＤ１１の点灯時は、正面から見た場合、輝点が一つの通常の発光状態と何ら変わりはないが、斜め正面から見ると、図３に示すように、ＬＥＤ１１から直接放射される像Ａ１と、ＬＥＤ１１から放射され、導光部１２１の端面１２１Ａ、１２１Ｂ間で端面反射を繰り返して放射される光による反射像Ａ２、Ａ３が発光表示部９、１０の奥行き方向に形成され、発光部分が立体的に視認される。
導光部１２１の端面１２１Ａ，１２１Ｂ間の距離、つまり、導光部１２１の幅に応じて反射像Ａ２，Ａ３の位置が変化するので、導光部１２１の幅を適宜決定することで反射像Ａ２，Ａ３を所望の位置に配置させることができるようになる。なお、本実施形態では、導光部１２１の端面１２１Ａ，１２１Ｂ間の距離は約０．５ｃｍ〜１．５ｃｍとされている。
【００２１】
このような第１実施形態によれば、次のような効果がある。
（１）導光部材１２のＬＥＤ１１側端面１２１Ｂに不透光層１２２が形成されているため、ＬＥＤ１１の消灯時、不透光層１２２で隠蔽されるため、外部から観察してもＬＥＤ１１が視認されにくくなり、電子機器１の意匠性を損なうことがない。
（２）ＬＥＤ１１から放射された光が導光部材１２の端面１２１Ａ、１２１Ｂ間で反射を繰り返し、透明カバー部材７から外装ケース２の外部に放射されるため、斜めから見たときに、複数の発光表示部９、１０の像Ａ１、Ａ２、Ａ３を視認することができるため、外部からの視認性が損なわれることもない。しかも、これらの像Ａ１、Ａ２、Ａ３は、導光部材１２の幅方向にずれながら見え、かつ、次第にぼやけていくため、より強調された立体的な意匠的効果も期待できる。
【００２２】
（３）端面間１２１Ａ、１２１Ｂの光の反射の繰り返しによって、発光表示部９、１０を斜め前方から観察すると、発光表示部９、１０の像Ａ１、Ａ２、Ａ３が奥行き方向に沿って複数形成されることとなるので、発光表示部９、１０を立体的に視認することができ、また、発光表示部９、１０の像Ａ１、Ａ２、Ａ３が導光部材１２内で浮いたように表示されるため、電子機器１の表示状態に高級感を持たせることができる。
（４）不透光層１２２がＬＥＤ１１の発光色と異なっているため、ＬＥＤ１１の点灯時、発光表示部９、１０の色と背景色が明確に区分けされるため、像Ａ１、Ａ２、Ａ３の視認性を一層向上させることができ、立体的にも視認し易くなる。特に、不透光層１２２を黒色とした場合、視認性は良好である。
【００２３】
〔第２実施形態〕
次に、本発明の第２実施形態について説明する。尚、以下の説明では、既に説明した部分又は部材等については、同一符号を付してその説明を省略又は簡略する。
前述の第１実施形態では、導光部材１２を構成する導光部１２１のＬＥＤ１１側端面１２１Ａに、不透光層１２２しか形成されていなかった。
これに対して、第２実施形態に係る導光部材１３は、図４に示すように、導光部１２１のＬＥＤ１１側端面１２１Ｂにハーフミラー層１３１を形成し、その上に不透光層１２２を形成している点が相違する。
このような導光部材１３は、アクリル樹脂等の透明材料の端面１２１Ａ、１２１Ｂを鏡面研磨した後、金属蒸着等によりハーフミラー層１３１を形成し、さらに、シルクスクリーン印刷等により不透光層１２２を形成する。なお、不透光層１２２の形成方法は、これ以外に、マスキング塗装や、開口部を有した板状部材、シート状部材、全反射ミラー等を貼り付けることにより形成してもよい。
【００２４】
このような本実施形態によれば、前述の第１実施形態に加えて次のような効果がある。
すなわち、ハーフミラー層１３１が形成されることにより、導光部１２１の端面反射に加えて、ハーフミラー層１３１の反射光も利用できるため、奥行き方向に形成される反射像の明るさが増し、視認性を一層向上させることができる。
また、ＬＥＤ１１の消灯時、不透光層１２２に形成された開口部１２２Ａは、ハーフミラー層１３１によって隠蔽されるので、外部から観察しても開口部１２２Ａの形状が視認されにくく、点灯時何もないところから発光表示が行われることとなり、電子機器に組み込んだときに、意匠性が向上し一層高級感が増す。
【００２５】
〔第３実施形態〕
次に、本発明の第３実施形態について説明する。
前述の第２実施形態では、透明カバー部材７とＬＥＤ１１との間に、１つの導光部材１３のみを介在配置した構成を採用していた。
これに対して、第３実施形態では、図４に透明カバー部材７とＬＥＤ１１との間に２つの導光部材１３、１４を介在配置させている点が相違する。
ＬＥＤ１１側に配置される導光部材１３は、第２実施形態と同様の構成であるが、導光部１２１の厚さ寸法が少なくなっている。
透明カバー部材７側に配置される導光部材１４は、導光部材１３と同様に端面１２１Ａ、１２１Ｂが鏡面加工されたアクリル樹脂製の導光部１２１を有し、導光部材１３側の端面１２１Ｂには、ハーフミラー層１４１が形成されている。
導光部材１４のハーフミラー層１４１と、導光部材１３の端面１２１Ａとは、単に密着しているだけであり、接着剤等は介在していない。
【００２６】
このように導光部材１３、１４が積層配置された構成において、ＬＥＤ１１を点灯させると、ＬＥＤ１１から放射された光は導光部材１３内に導入され、一部はさらに導光部材１４に導入する。他の一部の光は、導光部材１３内で端面反射を繰り返した後、導光部材１４に導入する。
導光部材１４内でも同様に直接放射される光と、端面反射を繰り返す光に分けられ、最終的に透明カバー部材７の外部に放射される。発光状態を斜めから観察すると、第１実施形態の場合よりも細かなピッチでかつ数多く反射像が形成されていることが視認できる。
【００２７】
このような第３実施形態によれば、前述の第２実施形態で述べた効果に加えて、次のような効果がある。
ＬＥＤ１１及び透明カバー部材７の間に複数の導光部材１３、１４を介在配置することにより、導光部材１３の端面１２１Ａ、１２１Ｂ、導光部材１４の端面１２１Ａ、１２１ＢでＬＥＤ１１から放射した光が反射するので、端面反射が生じる部分が増加し、さらにハーフミラー層１３１、１４１の反射も利用できるので、反射像をより多く視認することができ、視認性を向上することができる上、発光表示部の意匠性が一層向上する。
【００２８】
なお、前記実施形態では、導光部材１４にハーフミラー層１４１が形成されていたが、導光部材１３の導光部材１４側端面１２１Ａにハーフミラー層１４１を形成してもよい。要は、導光部材１４と導光部材１３との間にハーフミラー層１４１が設けられていればよい。
【００２９】
〔第４実施形態〕
次に、本発明の第４実施形態について説明する。
前述の第１実施形態では、不透光層１２２に形成された開口部１２２Ａが発光表示部９、１０とされていた。
これに対して、第４実施形態に係る導光部材１６は、図６に示されるように、導光部１２１の透明カバー部材７側端面１２１Ａに凹部１６１が形成され、この凹部１６１が発光表示部として認識される点が相違する。尚、導光部材１６のＬＥＤ１１側の端面１２１Ｂには、第２実施形態の導光部材１３と同様に、ハーフミラー層１３１、不透光層１２２が積層形成されている。
凹部１６１は、ＬＥＤ１１に応じた位置に形成され、導光部１２１の端面１２１Ａ、１２１Ｂの鏡面加工前又は後に切削加工、サンドブラスト加工等により形成される。凹部１６１の正面形状は任意である。尚、発光表示部として認識されれば、この部分は凹状加工に限られず、メジュウム印刷等によっても形成することができる。
【００３０】
このような導光部材１６では、ＬＥＤ１１が点灯すると、開口部１２２Ａから導光部材１６内部に光が導入され、凹部１６１が照明される。照明された凹部１６１の反射光は、正面に放射されるとともに、導光部１２１内にも放射され、端面１２１Ａ、１２１Ｂで反射が繰り返され、最終的に透明カバー部材７の外部に放射され、凹部１６１の像が奥行き方向に複数形成される。
このような第４実施形態によれば、前記した第１実施形態で述べた効果に加え、次のような効果がある。
すなわち、導光部１２１の透明カバー部材７側の端面１２１Ａを加工して発光表示部としているので、加工方法に種々の方法を採用することができ、意匠性に富んだ発光表示部を形成することができる。
なお、上記実施形態では、凹部１６１を導光部材１６に形成したが、透明カバー部材７の内面側、つまり、導光部材１６と接する端面７２に凹部１６１を形成しても、同様な効果が期待できる。
【００３１】
〔第５実施形態〕
次に、本発明の第５実施形態について説明する。
前述の第４実施形態では、凹部１６１は、後ろ側に配置されたＬＥＤによって照明され、発光表示を行っていた。
これに対して第５実施形態に係る発光表示は、第１導光部材１７及び第２導光部材１８を用い、さらに第２導光部材１８の上方にＬＥＤ１１を配置し、ＬＥＤ１１から放射された光を第１導光部材１７で曲折して照明している点が相違する。
第１導光部材１７は、透明カバー部材７側端面１７１Ａ及び第２導光部材１８側端面１７１Ｂが鏡面加工された板状体として構成され、アクリル樹脂等の透明板等を加工して形成することができる。
この第１導光部材１７上部端面１７２は、ＬＥＤ１１の光放射方向基端側から先端側に向かって次第に下方に傾斜した傾斜面とされ、同様に鏡面加工が施されている。尚傾斜角度は、ＬＥＤ１１の照明光軸中心に対して４５°の角度に設定されている。
また、第１導光部材１７の端面１７１Ｂ中央には、断面三角形状の凹部１７３が形成されている。この凹部１７３は、直角三角形であり、三角形の斜辺が上部端面１７２と平行になっている。
【００３２】
第２導光部材１８は、両端面１８１Ａ、１８１Ｂを鏡面加工した導光部１８１の端面１８１Ｂに反射ミラー層１８２を形成したものであり、反射ミラー層１８２の形成は、ハーフミラーの場合と同様に金属蒸着等によって行われる。
このような第１導光部材１７、第２導光部材１８、及び透明カバー部材７は前記と同様に密着しているだけであり、端面間に接着剤等は介在していない。
このような発光表示部において、ＬＥＤ１１を点灯させると、ＬＥＤ１１から放射された光は、第１導光部材１７の上部端面１７２で９０°曲折され、透明カバー部材７の端面７２に沿って進み、光の一部が凹部１７３を照明する。
照明された凹部１７３は、受けた光を斜面によって９０°曲折し、透明カバー部材７の外部に放射して発光表示する。
一方、凹部１７３を照明した光の一部は傾斜面で反射せず、第２導光部材１８側に導入され、端面１８１Ａ、１８１Ｂ及び反射ミラー層１８２で反射を繰り返し、最終的に透明カバー部材７の外部に放射され、第４実施形態の場合と同様に凹部１７３の反射像が奥行き方向に複数形成される。
【００３３】
このような第５実施形態によれば、第４実施形態で述べた効果に加えて次のような効果がある。
すなわち、第１導光部材１７を備えていることにより、ＬＥＤ１１を発光表示する凹部１７３と正対させることなく照明することができる。従って、電子機器等に組み込んだ際、外装ケースの外側に透明カバー部材７を突出させ、機器本体内のＬＥＤ１１から放射された光を、透明カバー部材７の突出部分で発光表示させることができるので、発光表示位置の自由度が向上し、意匠性に富んだ発光表示を行うことができる。
【００３４】
〔実施形態の変形〕
尚、本発明は、前述した各実施形態に限定されるものではなく、以下に示すような変形をも含むものである。
すなわち、前記第１実施形態では、導光部材１２の端面１２１Ａを透明カバー部材７の端面７２に密着させていたが、本発明はこれに限られない。すなわち、図８に示されるように、導光部材１９を透明カバー部材７と離間配置した構成を採用してもよい。要するに、発光体であるＬＥＤ１１と透明カバー部材７との間に配置される導光部材１２内で端面反射が起こるような構成であればよい。
【００３５】
また、前記実施形態では、導光部材１２〜１８、透明カバー部材７の材料としてアクリル樹脂等の合成樹脂材料を採用していたが、本発明はこれに限られず、硬質ガラス等の無機系材料を採用してもよく、さらに、導光部材１２〜１８と透明カバー部材７とを異なる材料で構成してもよい。
また、前記実施形態では、発光体としてＬＥＤ１１を採用していたが、本発明はこれに限られず、有機ＥＬ素子等他の発光素子を用いてもよい。
【００３６】
また、前記実施形態では、電子機器１において、ビデオカセットが挿入されているか否かや録音／再生モードを表示する発光表示部９、モノラル／ステレオ／２カ国語等の状態を表示する発光表示部１０に、本発明を適用した例を説明したが、これに限られない。例えば、前記実施形態におけるビデオカセットのテープ残量や時刻を表示する発光表示部８でもよい。この場合、光束透過用の開口部１２２Ａをセグメント形状に形成しておけばよい。
そして、前記実施形態では、ビデオ再生装置等の電子機器１に本発明を採用していたが、本発明はこれに限られず、テレビ等の画像表示装置、特に、薄型のフラットパネルディスプレイに本発明を採用してもよい。
その他、本発明の実施の際の具体的な構造及び形状等は、本発明の目的を達成できる範囲で他の構造等としてもよい。
【００３７】
【発明の効果】
前述のような本発明によれば、透光性部材及び発光体の間に導光部材を介在配置することにより、発光体から放射した光が導光部材内で端面反射を繰り返し、複数の反射像を形成することができるため、外部からの視認性を十分に確保でき、かつ意匠性を向上させることができる。
【図面の簡単な説明】
【図１】本発明の第１実施形態に係る電子機器の外観を表す正面図である。
【図２】前記実施形態における表示装置の構造を表す垂直断面図である。
【図３】前記実施形態の作用を説明するための模式図である。
【図４】本発明の第２実施形態に係る表示装置の構造を表す垂直断面図である。
【図５】本発明の第３実施形態に係る表示装置の構造を表す垂直断面図である。
【図６】本発明の第４実施形態に係る表示装置の構造を表す垂直断面図である。
【図７】本発明の第５実施形態に係る表示装置の構造を表す垂直断面図である。
【図８】前記実施形態の変形となる表示装置の構造を表す垂直断面図である。
【符号の説明】
１…電子機器
７…透明カバー部材（透光性部材）
９、１０…発光表示部（表示装置）
１１…ＬＥＤ（発光体）
１２、１３、１４、１５、１６、１９…導光部材
１７…第１導光部材
１８…第２導光部材
１２１Ａ、１２１Ｂ…端面
１２２…不透光層
１２２Ａ…開口部
１３１…ハーフミラー層
１７２…上部端面（第１反射面）
１８２…反射ミラー層（反射層）
【図１】
2004354478.tif 000003
【図２】
2004354478.tif 000004
【図３】
2004354478.tif 000005
【図４】
2004354478.tif 000006
【図５】
2004354478.tif 000007
【図６】
2004354478.tif 000008
【図７】
2004354478.tif 000009
【図８】
2004354478.tif 000010